(57)【要約】【課題】簡素でコンパクトな構成にでき、施工性に優れた支承装置を提供する。【解決手段】鋼板４ｂとゴム層４ａとが積層されたゴム積層体３の上端に上沓５が固定されるとともに下端に下沓６が固定された支承体２と、上部構造物１１に固定されて対向する上沓５が取付けられるプレート７と、下部構造物１２に固定されて対向する下沓６が取付けられるプレート８とを備えて、上沓５および下沓６の少なくとも一方が、対向するプレート７、８に形成された凹部７ａ、８ａに嵌合して取付けられる。【選択図】図３
2014163444.tif 000002
【特許請求の範囲】
【請求項１】
上端に上沓が固定されるとともに下端に下沓が固定された支承体と、上部構造物に固定されて対向する前記上沓が取付けられるプレートと、下部構造物に固定されて対向する前記下沓が取付けられるプレートとを備えた支承装置において、前記上沓および下沓の少なくとも一方が、対向する前記プレートに形成された凹部に嵌合して取付けられる構成であることを特徴とする支承装置。
【請求項２】
前記上沓および下沓の両方が、対向する前記プレートに形成された凹部に嵌合して取付けられる構成である請求項１に記載の支承装置。
【請求項３】
前記凹部と、この凹部に嵌合して取付けられる前記上沓および下沓とが、互いに対向する周面にネジ山が形成されていて螺合する構成である請求項２に記載の支承装置。
【請求項４】
前記凹部の内部に配置されるスペーサを備えた請求項１〜３のいずれかに記載の支承装置。
【発明の詳細な説明】
【技術分野】
【０００１】
本発明は、支承装置に関し、さらに詳しくは、簡素でコンパクトな構成にすることができ、施工性に優れた支承装置に関するものである。
【背景技術】
【０００２】
建築物や橋梁等の構造物を支持するために、鋼板とゴム層とを積層したゴム積層体の上端、下端にそれぞれ金属製の上沓、下沓を一体化させた支承体が用いられている（例えば、特許文献１参照）。このような支承体は、上沓、下沓がそれぞれ対向するプレートに固定される。例えば、上沓は橋梁等の上部構造物の下面に固定されるソールプレートにボルト等を用いて固定され、下沓は橋脚等の下部構造物の上面に固定されるベースプレートにボルト等を用いて固定される。
【０００３】
上沓とソールプレートの間、或いは、下沓とベースプレートの間に、せん断キーを介在させることがある。せん断キーによって、互いの位置決めが容易になるとともに、せん断力（水平力）に対して互いが一体化してずれが防止される。ところで、支承体を設置するために十分なスペースが確保できない場合が多いため、小さなスペースで設置できる支承体が要望されている。また、ボルト等を用いて支承体を取付けたり、取り外したりする作業は、多大な労力を要するため、これら作業が容易に行なえるように施工性を向上させる必要もある。
【先行技術文献】
【特許文献】
【０００４】
【特許文献１】特開２００９−２０４０７７号公報
【発明の概要】
【発明が解決しようとする課題】
【０００５】
本発明の目的は、簡素でコンパクトな構成にすることができ、施工性に優れた支承装置を提供することにある。
【課題を解決するための手段】
【０００６】
上記目的を達成するため本発明の支承装置は、上端に上沓が固定されるとともに下端に下沓が固定された支承体と、上部構造物に固定されて対向する前記上沓が取付けられるプレートと、下部構造物に固定されて対向する前記下沓が取付けられるプレートとを備えた支承装置において、前記上沓および下沓の少なくとも一方が、対向する前記プレートに形成された凹部に嵌合して取付けられる構成であることを特徴とする。
【発明の効果】
【０００７】
本発明によれば、上沓および下沓の少なくとも一方が、それぞれ対向する上部構造物に固定されたプレート、下部構造物に固定されたプレートに形成された凹部に嵌合して取付けられる構成なので、凹部に嵌合する上沓や下沓を従来のせん断キーとして機能させることができる。したがって、別途、せん断キーを設ける必要がなく、支承体を取付けるボルト等を削減したり不要にすることができる。これにより、簡素でコンパクトな構成にすることが可能になる。また、ボルト等を用いて支承体を取付けたり、取り外したりする作業を削減または無くすことができるので施工性が向上する。
【０００８】
ここで、前記上沓および下沓の両方が、対向する前記プレートに形成された凹部に嵌合して取付けられる構成にすることもできる。この構成により、簡素でコンパクトな構成にするとともに、施工性を向上させるには益々有利になる。
【０００９】
さらに、前記凹部と、この凹部に嵌合して取付けられる前記上沓および下沓とが、互いに対向する周面にネジ山が形成されていて螺合する構成にすることもできる。この構成により、上沓は対向するプレートに上下方向に対して不動状態に固定され、下沓は下沓に対向するプレートに上下方向に対して不動状態に固定される。それ故、上部構造物に上揚力が作用しても、支承装置（下部構造物）から分離することを防止できる。
【００１０】
前記凹部の内部に配置されるスペーサを備えた構成にすることもできる。このスペーサを用いることにより、上部構造物と下部構造物との上下間隔を微調整することが可能になる。
【図面の簡単な説明】
【００１１】
【図１】本発明の支承装置の設置状態を例示する断面図である。
【図２】図１の支承装置を例示する平面図である。
【図３】図２のＡ−Ａ断面図である。
【図４】凹部の内部に配置されるスペーサを備えた支承装置の実施形態を例示する断面図である。
【図５】支承装置の別の実施形態を例示する断面図である。
【図６】図５の一部拡大図である。
【図７】支承装置のさらに別の実施形態を例示する断面図である。
【発明を実施するための形態】
【００１２】
以下、本発明の支承装置を、図に示した実施形態に基づいて説明する。尚、図面では、橋軸方向をＸ方向で示し、橋軸直角方向をＹ方向で示している。
【００１３】
図１〜図３に例示する本発明の実施形態の支承装置１は、橋桁等の上部構造物１１を支持する橋脚等の下部構造物１２に設置される。この支承装置１は、支承体２とソールプレート７とベースプレート８とを備えている。
【００１４】
支承体２は、鋼板４ｂとゴム層４ａとが積層されたゴム積層体３と、ゴム積層体３の上端に固定される上沓５と、ゴム積層体３の下端に固定される下沓６とで構成されている。これら鋼板４ｂ、上沓５および下沓６は隣接するゴム層４ａと加硫接着されて一体化している。上沓５および下沓６は円柱状である。
【００１５】
ソールプレート７は、例えばアンカーボルト１０ａを用いて上部構造物１１の下面に固設されている。ベースプレート８は、例えばアンカーボルト１０ｂを用いて下部構造物１２の上面に固設されている。上沓５に対向する面となるソールプレート７の下面には凹部７ａが形成され、下沓６に対向する面となるベースプレート８の上面には凹部８ａが形成されている。
【００１６】
そして、上沓５および下沓６は、それぞれ対向するソールプレート７、ベースプレート８に形成された凹部７ａ、８ａに嵌合して取付けられている。したがって、凹部７ａ、８ａはそれぞれ、嵌合する上沓５、下沓６の外形と略同じ大きさに形成されている。この実施形態ではゴム積層体３は円柱状であるが、例えば、四角柱状等の多角柱状を採用することもできる。
【００１７】
この支承装置１では、上部構造物１１が外気温の上昇により橋軸方向Ｘに膨張した場合や外気温の低下により橋軸方向Ｘに収縮した場合は、ソールプレート７は上部構造物１１と同調して移動し、これに伴って支承体２が橋軸方向Ｘにせん断変形して、上部構造物１１の膨張収縮が吸収される。上部構造物１１が橋軸直角方向Ｙに膨張収縮した場合は、支承体２が橋軸直角方向Ｙにせん断変形して、同様に、上部構造物１１の膨張収縮が吸収される。このようにして、支承装置１は上部構造物１１の荷重を安定して支持する。
【００１８】
この支承装置１では、それぞれの凹部７ａ、８ａに嵌合する上沓５や下沓６が、従来のせん断キーとして機能している。したがって、別途、せん断キーを設ける必要がなく、支承体２をソールプレート７やベースプレート８に取付けるボルト等を不要にすることができる。これにより、簡素でコンパクトな構成の支承装置１を得ることが可能になる。支承体２を設置するために十分なスペースが確保できない場合が多いため、小さなスペースで設置できる支承装置１は、非常に有益である。
【００１９】
また、上沓５、下沓６が従来のせん断キーとして機能するので、支承体２の位置決めを高い精度で容易に行なうことができる。そして、ボルト等を用いて支承体２をソールプレート７やベースプレート８に取付ける作業や取り外したりする作業を無くすことができるので施工性が向上する。
【００２０】
図４に例示する実施形態は、先の実施形態に対して、更に、凹部８ａの内部に配置されるスペーサ９を備えている。スペーサ９は、凹部７ａ、８ａのいずれか一方の内部に配置されるだけでなく、両方の内部に配置されてもよい。このスペーサ９を用いることにより、上部構造物１１と下部構造物１２との上下間隔を微調整することが可能になる。尚、スペーサ９は単なる板状体に限らず、上沓５、下沓６の水平方向の位置を調整するために、板状体の周縁部に上下方向に突出する周壁を備えた形状にすることもできる。
【００２１】
上部構造物１１に上揚力が作用した際には、ソールプレート７と上沓５との間で上下に分離して上部構造物１１が外れることも想定される。そのため、別途、上揚力抑制装置を設ける必要がある。
【００２２】
ここで、図５、図６に例示する実施形態のように、凹部７ａ、８ａと、この凹部７ａ、８ａに嵌合して取付けられる上沓５、下沓６が、互いに対向する周面にネジ山が形成されていて螺合する構成にすることもできる。この構成により、上沓５はソールプレート７に上下方向に対して不動状態に固定され、下沓６はベースプレート８に上下方向に対して不動状態に固定される。それ故、上部構造物１１に上揚力が作用しても、支承装置１（下部構造物１２）から分離することを防止できる。したがって、別途、上揚力抑制装置を設ける必要がなくなる。
【００２３】
上記した種々の実施形態では、上沓５および下沓６の両方がそれぞれ、対向するソールプレート７、ベースプレート８に形成された凹部７ａ、８ａに嵌合して取付けられているが、本発明では上沓５および下沓６の少なくとも一方が、それぞれ対向するソールプレート７、ベースプレート８に形成された凹部７ａ、８ａに嵌合して取付けられる構成であればよい。
【００２４】
図７に例示するように、下沓６がボルト６ａによってベースプレート８に固定され、上沓５がソールプレート７に形成された凹部７ａに嵌合して取付られた構成にすることもできる。或いは、上沓５がボルトによってソールプレート７に固定され、下沓６がベースプレート８に形成された凹部８ａに嵌合して取付られた構成にすることもできる。
【００２５】
ソールプレート７に形成された凹部７ａと、この凹部７ａに嵌合して取付けられる上沓５が、互いに対向する周面にネジ山が形成されていて螺合し、下沓６がボルト６ａによってベースプレート８に固定される構成にすることもできる。また、上沓５がボルトによってソールプレート７に固定され、ベースプレート８に形成された凹部８ａと、この凹部８ａに嵌合して取付けられる下沓６が、互いに対向する周面にネジ山が形成されていて螺合する構成にすることもできる。
【００２６】
このような実施形態であっても、上沓５および下沓６をそれぞれ、ソールプレート７、ベースプレート８にボルト等を用いて取付けていた従来の支承装置に比して、簡素でコンパクトな構成になり、施工性も向上する。もちろん、上沓５および下沓６の両方がそれぞれ、ソールプレート７、ベースプレート８に形成された凹部７ａ、８ａに嵌合して取付けられる構成にすることにより、一段と簡素でコンパクトな構成にすることができ、施工性を向上させるにも一段と有利になる。
【００２７】
尚、本発明は、上沓５と下沓６との間にゴム積層体３を備えた支承体２に限らず、その他の支承体２を用いることもできる。例えば、支承板支承などの鋼製支承を用いることもできる。
【符号の説明】
【００２８】
１  支承装置
２  支承体
３  ゴム積層体
４ａ  ゴム層
４ｂ  鋼板
５  上沓
６  下沓
６ａ  ボルト
７  ソールプレート
７ａ  凹部
８  ベースプレート
８ａ  凹部
９  スペーサ
１０ａ、１０ｂ  アンカーボルト
１１  上部構造物
１２  下部構造物
【図１】
2014163444.tif 000003
【図２】
2014163444.tif 000004
【図３】
2014163444.tif 000005
【図４】
2014163444.tif 000006
【図５】
2014163444.tif 000007
【図６】
2014163444.tif 000008
【図７】
2014163444.tif 000009